(57)【特許請求の範囲】
【請求項１】
浴室の天井に取り付けられた空調装置本体と、
前記空調装置本体の外周面に取り外し可能に取り付けられた端子台収容部とを備え、
前記端子台収容部は、
ベース部材と、
前記ベース部材の上面に設けられ、前記空調装置本体内部および外部からの配線が接続される端子台と、
少なくとも前記端子台を被覆するカバー部材とを備え、
前記端子台は、前記ベース部材および／または前記カバー部材に取り付けられ、
前記カバー部材と前記ベース部材とは締結手段を介して連結し、
前記端子台収容部は、前記空調装置本体に対して少なくとも第１の位置と当該第１の位置とは異なる第２の位置に取り付け可能とし、
前記カバー部材に前記配線を引き出すための配線引出部を設け、
前記配線引出部は、前記第１の位置と前記第２の位置とで、同一位置となるように回転対称位置に設けられた
ことを特徴とする設備機器。
【請求項２】
前記カバー部材の側壁部と、前記ベース部材の側壁部とを前記締結手段で連結した
ことを特徴とする請求項１に記載の設備機器。
【請求項３】
前記ベース部材の下面から前記端子台を前記ベース部材に取り付ける際に用いた止め具を突出させ、
前記装置本体の前記外周面には、突出した前記止め具を挿入するための挿入孔が穿設され、
前記挿入孔は、前記装置本体の前記外周面の所定領域に前記端子台収容部を取り付ける際の位置合わせ用の孔として用いられる
ことを特徴とする請求項１に記載の設備機器。
【発明の詳細な説明】
【技術分野】
【０００１】
本発明は、建物の室内の天井や壁に設置される設備機器に関する。
【背景技術】
【０００２】
住宅等の建物では、室内の換気等を行うために換気装置が広く利用されている。例えば住宅の浴室の天井には、浴室の暖房や換気、涼風等を行うための浴室空調装置が取り付けられている。
【０００３】
浴室空調装置は、例えば浴室内の空気の取り込むファンと、取り込んだ空気を温風として室内に吹き出すためのヒータと、空気の吹き出し方向を切り換えるダンパ等を備える。このように構成されて浴室空調装置では、例えば、浴室内に設置されたリモートコントローラを操作してファン、ヒータ等を駆動させることで、吹出部から温風を浴室内に吹き出している。
【０００４】
ここで、浴室空調装置の装置本体の上面には、一般的にリモートコントローラの配線や電源用の配線が接続される端子台が設けられている。例えば、特許文献１には、浴室の天井に設置される装置本体と、この装置本体の上面に設置される端子台と、この端子台に設けられた電源線等を外すためのロック解除釦と、端子台の上部を覆うようにして設けられたカバーとを備えた設備機器が開示されている。
【０００５】
【特許文献１】特開２００１−２５４９８２号公報
【発明の開示】
【発明が解決しようとする課題】
【０００６】
ところで、上述したリモートコントローラの配線や電源線等や部品の点検等の作業は、天井に設けられた開閉可能な点検蓋を利用して行われる場合が多い。しかしながら、上記特許文献１に開示される設備機器では、浴室空調装置の設置方向は、排気口の設置方向により決定されるため、この装置本体上に予め設置される端子台の設置位置も決定されてしまう。そのため、端子台の配線等の作業時の際に、端子台の設置位置によっては、端子台が点検蓋とは離れた（異なった）方向に位置してしまい、上述した作業が行い難い場合がある。
【０００７】
そこで、端子台を回転可能に設置した端子台も利用されているが、この端子台では、端子台ベースを複数のねじにより浴室空調装置にねじ止めした後、さらに、端子台ベース上に取り付けられた端子台を覆うようにして端子台カバーを複数のねじにより浴室空調装置にねじ止め固定している。そのため、端子台を回転させる際には、端子台カバーの複数のねじを取り外した後に、さらに端子台ベースの複数のねじを取り外さなければならない。そのため、施工者の作業が複雑化し、これにより作業負担が増大してしまうという問題がある。
【０００８】
そこで、本願発明は、上記課題を解決するものであり、その目的は、端子台を取り付ける際または設置方向を変更する際の施工者の負担軽減を図った設備機器を提供することにある。
【課題を解決するための手段】
【０００９】
本発明は上記課題を解決するために、浴室の天井に取り付けられた空調装置本体と、前記空調装置本体の外周面に取り外し可能に取り付けられた端子台収容部とを備え、前記端子台収容部は、ベース部材と、前記ベース部材の上面に設けられ、前記空調装置本体内部および外部からの配線が接続される端子台と、少なくとも前記端子台を被覆するカバー部材とを備え、前記端子台は、前記ベース部材および／または前記カバー部材に取り付けられ、前記カバー部材と前記ベース部材とは締結手段を介して連結し、前記端子台収容部は、前記空調装置本体に対して少なくとも第１の位置と当該第１の位置とは異なる第２の位置に取り付け可能とし、前記カバー部材に前記配線を引き出すための配線引出部を設け、前記配線引出部は、前記第１の位置と前記第２の位置とで、同一位置となるように回転対称位置に設けられたことを特徴とする。
【００１０】
本願発明では、カバー部材とベース部材とを締結手段を介して連結するため、個々の部材をそれぞれ装置本体に取り付ける必要がない。例えばカバー部材のみを装置本体の外周面に取り付けることで、ベース部材および端子台も同時に装置本体に取り付けることができる。従って、本願発明によれば、施工現場での作業量を大幅に軽減させることができる。これにより、組み付けの誤りや締結手段の取付忘れの防止を図ることができる。
【００１１】
また、端子台の設置方向を変更しなければならない場合でも、カバー部材と一体で端子台が取り外されるため、端子台および配線がカバー部材によって損傷を受けることもない。
【発明の効果】
【００１２】
本発明によれば、カバー部材とベース部材とを締結手段を介して一体形成するため、施工現場での作業量を大幅に軽減させることができる。これにより、組み付けの誤りや締結手段の取付忘れの防止を図ることができる。
【００１３】
また、端子台の設置方向を変更する場合でも、端子台がカバー部材と一体で取り外されるため、カバー部材によって端子台および配線が損傷を受けることもない。
【発明を実施するための最良の形態】
【００１４】
［第１の実施の形態］
以下、本発明の実施形態につき、図面を参照して説明する。
図１は、本発明の一実施形態に係る空調装置１０の構成を示す図である。図２は、図１に示す空調装置１０の分解斜視図である。図３は、図１とは異なる位置に端子台２０を設置した空調装置１０の構成を示す斜視図である。図４は、図３に示す空調装置１０の分解斜視図である。図５は、端子台収容箱１００の構成を示す斜視図である。図６は、端子台収容箱１００の構成を示す分解斜視図である。図７は、端子台収容箱１００の裏面側の構成を示す斜視図である。図８は、端子台収容箱１００の構成を示す図である。なお、図３および図６では、後述する端子台収容箱１００を分解して図示しているが、本例では後述するように端子台収容箱１００が一体形成された状態で取り扱われるものとする。
【００１５】
浴室用の空調装置１０は、設備機器の一例を構成し、図１〜図４に示すように、図示しない多翼のファン、ファンモータ、ヒータ等を有する装置本体１２と、装置本体１２の上面１２ａに設置される端子台収容部としての端子台収容箱１００とを備える。
【００１６】
図示しない吸込口や吹出口を設けて、浴室の空気を吸い込み、吸い込んだ空気をヒータ等で暖めた温風をファンモータによって浴室内に吹き出すことで、浴室の暖房を行う暖房機能、浴室内の空気を吸い込んで、図示しないダクトを介して、屋外に排気する排気機能、浴室の空気を吸い込んで、吸い込んだ空気をヒータで暖め、浴室内に温風を吹き出すとともに、吸い込んだ空気の一部を屋外へ排気する衣類乾燥機能、浴室の空気を吸い込むとともに、吸い込んだ空気をヒータに通電せずに、浴室内に吹き出すとともに、吸い込んだ空気の一部を屋外へ排気する涼風、循環換気機能等の少なくとも何れかの空調機能を有している。
【００１７】
端子台収容箱１００は、端子台ベース３０と、端子台ベース３０の上面に取り付けられる端子台２０と、端子台２０および端子台ベース３０を被覆する端子台カバー５０とを備える。本例では、端子台ベース３０、端子台２０および端子台カバー５０が締結手段の一例を構成する止め具としての取り外し可能なねじ８０によりそれぞれ連結されることで一体形成される。
【００１８】
端子台ベース３０は、ベース部材の一例を構成し、図６〜図７に示すように、平面視長方形状の平板からなる平面部３０ａと、この平面部３０ａの長手方向に沿った両側の周縁部が上方に折り曲げられて形成された側壁部３０ｂ，３０ｃとを有する。
【００１９】
平面部３０ａの長手方向の長さは、端子台ベース３０の長手方向の長さの略半分程度に選定され、端子台収容箱１００を装置本体に取り付けたときに配線引出孔１６を塞がないような長さとされる。平面部３０ａの前端側には、端子台２０をねじ止め固定するためのねじ孔３４と、端子台２０の位置決めの際に用いられる位置決め孔３６とが穿設される。
【００２０】
側壁部３０ｂ，３０ｃのそれぞれの前端側には、端子台カバー５０を端子台ベース３０にねじ止め固定するためのねじ孔（第１の孔）３２が穿設される。このねじ孔３２は、側壁部３０ｂ，３０ｃのそれぞれの互いに対向した位置に穿設される。平面部３０ａの前端角部には後述する端子台カバー５０の第１の本体取付部５８Ａを収容するための切欠部３９が形成される。
【００２１】
端子台２０は、図６および図８に示すように、直方体形状をなす端子台本体２２と、リモートコントローラ用の配線６０や内部配線６２が接続された端子部２３を有する（図１２参照）。端子台２０の略中央部には、端子台２０の厚み方向に貫通した端子台ベース３０に端子台２０を固定するための挿通孔２４が穿設される。端子台本体２２の裏面の周縁部には、図８（Ａ）および図８（Ｂ）に示すように、裏面から突出する突起部２６が設けられる。この突起部２６は、端子台２０を端子台ベース３０に取り付ける際に、端子台ベース３０の位置決め孔３６に挿入することで端子台２０の位置決めを行うものである（図７参照）。これにより、端子台２０は、ねじ８２と突起部２６との２箇所によって端子台ベース３０に固定されるため、端子台２０が端子台ベース３０からずれることがない。
【００２２】
端子台カバー５０は、図５〜図７に示すように、平面視長方形状の平板からなる平面部５０ａと、この平面部５０ａの長手方向の両側の周縁部が下方に折り曲げられて形成された側壁部５０ｂ，５０ｃと、平面部５０ａの短手方向の後端側の周縁部が下方に折り曲げられて形成された側壁部５０ｄとを有する。平面部５０ａの長手方向の長さは、装置本体１２の上面１２ａ短手方向の略半分よりも若干長く選定され、端子台カバー５０を装置本体１２に取り付けたときに上面１２ａの配線引出孔１６を覆うような長さとされる。側壁部５０ｂ，５０ｃのそれぞれの前端部には、上述した端子台ベース３０のねじ孔３２に対応した位置にねじ止め用のねじ孔（第２の孔）５２が穿設される。このねじ孔５２は、側壁部５０ｂ，５０ｃの互いに対向した位置に穿設される。
【００２３】
側壁部５０ｂ，５０ｃの後端側には、図６および図７に示すように、内部配線６２（図１２参照）を装置本体１２から外部に引き出すための配線引出部５６Ａ，５６Ｂが形成される。配線引出部５６Ａ，５６Ｂは、側壁部５０ｂ，５０ｃの下端側が切り欠かれた凹部形状をなす。また、配線引出部５６Ａ，５６Ｂは、端子台カバー５０の所定位置を軸部Ｏとして所定角度、例えば１８０°回転させたとき（後述の第１の位置と第２の位置）に同一位置となるように、側壁部５０ｂ，５０ｃのそれぞれの回転対称位置に設けられる。本例では、装置本体１２の配線引出孔に対向した端子台カバー５０の位置を軸部Ｏとしている。これにより、内部配線６２をそのままの位置で固定した状態で、端子台カバー５０を所定角度１８０°回転させることができる。さらには、内部配線６２の側壁部５０ｂ，５０ｃによる挟み込みを回避でき、内部配線６２の損傷も防止できる。端子台カバー５０には、孔５９が設けられており、ドライバ等の工具を差し込み、端子台２０に設けられた配線解除ボタン２５を押し、配線を引くことで配線が取り外し可能となっている。
【００２４】
また端子台カバー５０は、図５〜図７に示すように、端子台カバー５０を装置本体１２上面に取り付けるための第１の本体取付部５８Ａおよび第２の本体取付部５８Ｂを有する。第１の本体取付部５８Ａは、平面部５０ａの前端側が下方に略Ｌ字状に折り曲げられた平面部５０ａのうち、水平（外）方向に延びる平板部分により構成される。本体取付部５８Ａには、端子台カバー５０を装置本体１２にねじ止め固定するためのねじ孔５４が穿設される。第２の本体取付部５８Ｂは、側壁面５０ｄの下端から水平方向に突出した平板部分により構成される。第２の本体取付部５８Ｂには、端子台カバー５０を装置本体１２にねじ止め固定するためのねじ孔５４が穿設される。
【００２５】
次に、装置本体１２の上面１２ａの構成について説明する。図９は装置本体１２の上面１２ａの構成を示す図である。
【００２６】
図９に示すように、装置本体１２外周面の上面１２ａの略中央部には、装置本体１２内部からの内部配線６２（図１２参照）を外部に引き出すための配線引出孔１６が穿設されている。また、装置本体１２の上面１２ａには、配線引出孔１６から引き出される配線に接続された端子台収容箱１００を設置するための設置領域が設けられる。本例では、天井の検査蓋の位置に応じて端子台２０の設置方向を１８０°切り換えて取り付けるため、装置本体１２の上面１２ａには２箇所の取付領域（第１の領域Ｓ１，第２の領域Ｓ２）が設けられる。この第１の領域Ｓ１および第２の領域Ｓ２は、配線引出孔１６の位置を支点として、装置本体１２の短手方向に沿った左右対称の位置（回転対称位置）に設けられる。なお、後述の第１の位置と第２の位置とは、必ずしも回転対称位置でなくとも良く、装置本体１２の異なる側面（例えば対向する面）から配線作業が行えるようになっていれば良い。
【００２７】
第１の領域Ｓ１には、端子台カバー５０取付用のねじ８６（図２参照）が螺合されるねじ孔１８が、端子台カバー５０のねじ孔５４に対応した位置に穿設される。また、端子台カバー５０の下面から突出した位置決め用の止め具としてのねじ８２（図２参照）を挿入するための位置決め用孔１４（挿入孔、逃げ孔）および端子台２０の突起部２６を嵌め込むための突起用孔１５が穿設される。第２の領域Ｓ２についても第１の領域Ｓ１と同様の孔１４，１５，１８が穿設されている。
【００２８】
次に、上述した端子台収容箱１００の組み立て方法について図１〜図８を参照して説明する。
【００２９】
まず、端子台２０の突起部２６を端子台ベース３０の位置決め孔３６に嵌め込んで端子台２０の位置決めを行う。次に、端子台２０の上方側から挿通孔２４にねじ８２を挿通すると共に端子台ベース３０のねじ孔３４にねじ８２を螺合することで、端子台２０を端子台ベース３０に取り付け固定する。このとき、端子台ベース３０の下面からはねじ８２が突出している。次に、端子台２０を覆うようにして、端子台カバー５０の側壁面５０ｂ，５０ｃを端子台ベース３０の側壁面３０ｂ，３０ｃの外周に被せる。そして、端子台カバー５０の側壁部５０ｂ，５０ｃの外側から、端子台カバー５０のねじ孔５２および端子台ベースのねじ孔３２にねじ８０を螺合することで、端子台ベース３０と端子台カバー５０とを取り付け固定する。このようにして、端子台２０、端子台ベース３０および端子台カバー５０を一体形成して端子台収容箱１００を構成する。
【００３０】
次に、上述した端子台収容箱１００の装置本体１２の取り付け方法について説明する。図１０（Ａ）および図１０（Ｂ）は、端子台収容箱１００を装置本体１２に位置合わせするときの動作を示す図である。
【００３１】
端子台収容箱１００の取り付け作業時には、まず、端子台２０を取り付ける位置の位置決めを行う。位置決めは、図１０（Ａ）に示すように、上述した端子台ベース３０の下面から突出したねじ８２を、図１０（Ｂ）に示すように、装置本体１２の上面１２ａに穿設された位置決め孔１４に挿入することにより行う。その後、端子台カバー５０の第１および第２の本体取付部５８Ａ，５８Ｂのねじ孔５４および装置本体１２の上面の対応したねじ孔１８にねじ８６を螺合することにより、端子台カバー５０を装置本体１２の上面１２ａに取り付け固定する。これにより、端子台カバー５０に一体形成された端子台ベース３０および端子台２０も装置本体１２に取り付け固定される。
【００３２】
次に、上述した装置本体１２の上面１２ａに設置された端子台収容箱１００を回転させて、第１の領域Ｓ１（第１の位置）から第２の領域Ｓ２（第２の位置）に設置方向を切り換える場合の動作例について説明する。図１１は、端子台収容箱１００を装置本体１２の第１の領域Ｓ１に取り付けた場合の図である。図１２は、端子台収容箱１００を装置本体１２の第１の領域Ｓ１から取り外した場合の図である。図１３は、端子台収容箱１００を装置本体１２の第２の領域Ｓ２から取り外した場合の図である。図１４は、端子台収容箱１００を装置本体１２の第２の領域Ｓ２に取り付けた場合の図である。なお、以下の説明では端子台収容箱１００は、予め第１の領域Ｓ１に取り付けられているものとする。
【００３３】
まず、図１１に示す装置本体１２の第１の領域Ｓ１に取り付けられた端子台収容箱１００を取り外す。取り外し作業は、図１２に示すように、端子台カバー５０の本体取付部５８Ａ，５８Ｂの２箇所のねじ８６を取り外すことにより簡易に行える。このようにして、一体形成された端子台ベース３０および端子台２０も同時に取り外すことができる。
【００３４】
次に、図１３に示すように、端子台カバー５０の軸部Ｏ周りに端子台収容箱１００を１８０°回転させて、第２の領域Ｓ２の位置決め孔３６に端子台ベース３０の下面から突出した位置合わせ用のねじ８２を挿入し、位置決めを行う（図１０参照）。次に、端子台カバー５０の第１および第２の本体取付部５８Ａ，５８Ｂのねじ孔５４と装置本体１２の上面１２ａの対応したねじ孔１８にねじ８６を螺合することにより、図１４に示すように、端子台カバー５０を装置本体１２の上面１２ａに取り付け固定する。本例では、配線引出部５６Ａ，５６Ｂが端子台カバー５０の側壁部５０ｂ，５０ｃのそれぞれの回転対称位置に設けられるため、配線６０が側壁面５０ｃに挟み込まれることがない。
【００３５】
以上説明したように、本実施の形態では、端子台カバー５０と端子台ベース３０とをねじ８０を介して一体形成するため、個々の部材のそれぞれを別々に装置本体１２に取り付ける必要がない。本例では、端子台カバー５０のみを装置本体１２の上面１２ａに取り付けることで、端子台ベース３０および端子台２０も同時に装置本体１２に取り付けることができる。これにより、本例ではねじ８６の個数を２個に削減でき、施工現場での作業量を大幅に軽減させることができる。その結果、組み付けの誤りやねじ８６の締め忘れ等の防止を図ることができる。
【００３６】
また、端子台収容箱１００の設置方向を変更しなければならない場合でも、端子台カバー５０と一体で端子台２０が取り外されるため、端子台２０が端子台カバー５０によって損傷を受けることもない。
【００３７】
また、本実施の形態では、端子台ベース３０と端子台カバー５０とを連結するねじ孔３２，５２はそれぞれの側壁部（垂直面）３０ｂ，３０ｃ，５０ｂ，５０ｃに穿設され、端子台カバー５０を装置本体１２に取り付ける際に用いるねじ孔５４は本体取付部（水平面）５８Ａ，５８Ｂに穿設されており、端子台カバー５０のねじ孔３２，５２と端子台ベース３０と端子台カバー５０と連結するねじ孔５４とは互いに異なった面に形成される。施工者は、一般的に上方側から装置本体１２を視認して作業を行うため、作業時に誤って端子台ベース３０の側壁面３０ｂ，３０ｃ，５０ｂ，５０ｃのねじ孔３２，５２にねじ８０を螺合すること、または螺合されたねじ８０を誤って取り外すこともない。
【００３８】
さらに、本実施の形態では、端子台ベース３０から突出したねじ８２を装置本体１２の位置決め用孔１４に挿入させて位置決めした後にねじ止め作業を行うため、視認して作業を行うことが困難な薄暗い現場等においても、端子台収容箱１００の位置決めを容易に行うことができる。
【００３９】
なお、本発明の技術範囲は、上述した実施形態に限定されるものではなく、本発明の趣旨を逸脱しない範囲において、上述した実施形態に種々の変更を加えたものを含む。
【００４０】
例えば、端子台２０を端子台ベース３０側に取り付けていたが、端子台カバー５０側に取り付けても良いし、双方側に取り付けても良い。
【００４１】
また、上述した実施の形態では、本体取付部を端子台カバー５０の２箇所に設けたが、端子台カバー５０をより安定させて取り付けるために３箇所以上設けても良い。
【００４２】
さらに、上述した実施の形態では、端子台ベース３０や端子台カバー５０を一枚の平板を折り曲げ加工することにより所定形状に形成したが、別部材同士を溶接により接合して端子台ベース３０等を形成しても良い。
【図面の簡単な説明】
【００４３】
【図１】本発明の一実施形態に係る空調装置の構成を示す斜視図である。
【図２】空調装置の構成を示す分解斜視図である。
【図３】空調装置の構成を示す斜視図である。
【図４】空調装置の構成を示す分解斜視図である。
【図５】端子台収容箱の構成を示す斜視図である。
【図６】端子台収容箱の構成を示す分解斜視図である。
【図７】端子台収容箱の裏面側の構成を示す斜視図である。
【図８】端子台収容箱の構成を示す図である。
【図９】装置本体の上面の構成を示す図である。
【図１０】端子台収容箱を装置本体に位置合わせするときの動作を示す図である。
【図１１】端子台収容箱を装置本体の第１の領域に取り付けた場合の図である。
【図１２】端子台収容箱を装置本体の第１の領域から取り外した場合の図である。
【図１３】端子台収容箱を装置本体の第２の領域から取り外した場合の図である。
【図１４】端子台収容箱を装置本体の第２の領域に取り付けた場合の図である。
【符号の説明】
【００４４】
１０…空調装置、  １２…装置本体、  １２ａ…上面、  １４…位置決め用孔、  ２０…端子台、  ３０…端子台ベース、  ３０ｂ，３０ｃ…側面部、  ３２…ねじ孔、  ５０…端子台カバー、  ５０ｂ，５０ｃ…側面部、  ５２…ねじ孔、  ５４…本体取付孔、  ５６ａ、５６ｂ…配線引出部、  ６０…配線、  ８０…ねじ、  １００…端子台収容箱
【図１】
0005272351.tif 000002
【図２】
0005272351.tif 000003
【図３】
0005272351.tif 000004
【図４】
0005272351.tif 000005
【図５】
0005272351.tif 000006
【図６】
0005272351.tif 000007
【図７】
0005272351.tif 000008
【図８】
0005272351.tif 000009
【図９】
0005272351.tif 000010
【図１０】
0005272351.tif 000011
【図１１】
0005272351.tif 000012
【図１２】
0005272351.tif 000013
【図１３】
0005272351.tif 000014
【図１４】
0005272351.tif 000015